(57)【要約】光記録媒体にマーキングする方法を提供する。本方法は、光記録媒体の非データ面に硬化型材料を供給することを含む。エネルギー源が、硬化型材料と相互作用し、光記録媒体上に永久的なテキストおよび／または画像を形成する。エネルギー源は、硬化型材料によって吸収される周波数のエネルギーを生じるレーザを含む。本方法は、専用の機器を必要とせず、光記録媒体上により多量の情報をマーキングすることができる。【特許請求の範囲】
【請求項１】
光記録媒体をマーキングする方法であって、
前記光記録媒体の非データ面に硬化型材料を供給するステップと、
エネルギー源を前記硬化型材料と相互作用させることによって前記光記録媒体上に永久的なマークを形成するステップと、
を含む、方法。
【請求項２】
光記録媒体をマーキングする方法であって、
前記光記録媒体の非データ面に硬化型材料を供給するステップと、
光記録媒体リーダ／ライタの読み取りレーザを前記硬化型材料と相互作用させることによって前記光記録媒体上に永久的なマークを形成するステップと、
を含む、方法。
【請求項３】
前記硬化型材料が、熱によってさらに硬化され、前記エネルギー源が発する周波数を吸収する、請求項１または２に記載の方法。
【請求項４】
前記硬化型材料が紫外線硬化コーティングである、請求項１または２に記載の方法。
【請求項５】
前記光記録媒体上に永久的なマークを形成するステップが、前記硬化型材料の一部分を緻密化することによって永久的なマークを形成するステップを含む、請求項４に記載の方法。
【請求項６】
前記光記録媒体上に永久的なマークを形成するステップが、前記硬化型材料の一部分をアブレーションするステップを含む、請求項１または２に記載の方法。
【請求項７】
前記光記録媒体が、コンパクトディスク、追記型コンパクトディスク、書換え型コンパクトディスク、書込み専用コンパクトディスク、およびデジタルビデオディスクからなる群から選択される、請求項１または２に記載の方法。
【請求項８】
接着剤を含む感圧基板に前記硬化型材料を塗布するステップ、および前記感圧基板を前記非データ面に貼り付けるステップをさらに含む、請求項１または２に記載の方法。
【請求項９】
非データ面に永久的にマーキングされる光記録媒体であって、
前記非データ面に配置され、一部分が緻密化またはアブレーションされて永久的なマークを形成する硬化型材料、
を備えている、光記録媒体。
【請求項１０】
前記硬化型材料がレーザによってさらに硬化される、請求項９に記載の光記録媒体。
【発明の詳細な説明】
【技術分野】
【０００１】
本発明は包括的には、光記録媒体を永久的にタイトル付けまたはマーキングする方法に関する。より具体的には、本発明は、エネルギー源を用いて光記録媒体を永久的にマーキングする方法に関する。
【背景技術】
【０００２】
当該技術分野で既知である光記録媒体としては、コンパクトディスク（「ＣＤ」）、追記型（recordable）ＣＤ（「ＣＤ−Ｒ」）、書換え型ＣＤ（「ＣＤ−ＲＷ」）、書込み専用（write-only）ＣＤ（「ＣＤ−ＷＯ」）、およびデジタルビデオディスク（「ＤＶＤ」）がある。光記録媒体は通常、圧着された複数の層からなる。最下層は透明な基板または支持層である。最下層の上には、下から順に、記録層、光反射層、および保護層がある。光記録媒体は２つの表面、すなわちデータ面および非データ面からなる。データ面は、光記録媒体に記録された情報を含む。この情報は、データ面をレーザ露光することによって読み出される。非データ面は通常、保護層と、この層に印刷された任意の画像とを含む。
【０００３】
光記録媒体の内容を識別する最も一般的な方法は、光記録媒体を収容するケースをマーキングすることである。これは通常、印刷された素材をケースに封入することによって達成される。しかし、光記録媒体をケースと分離しようものなら、光記録媒体の内容を容易に識別することはできない。
【０００４】
光記録媒体の内容を容易に識別できるように、光記録媒体の非データ面にもマーキングすることができる。例えば、画像（テキストやグラフィックス等）は、様々な技法によって保護層に印刷することができる。光記録媒体にマーキングする最も費用のかからない方法は、媒体を手で筆記用具によりマーキングすることである。しかし、この方法はいくつかの問題を提示する。第１に、この方法は、時間が経つと書いたものが擦れるかまたは薄くなるため永久的でない。また、媒体上にマーキングすることのできる情報量は、ペンのペン先サイズおよびユーザの筆跡によって制限される。さらに、筆記用具のインクが、媒体の下部層を損傷するか、またはデータ面の読み取りを妨げる可能性がある。最後に、筆記用具の先端が硬い場合、筆記用具自体が保護層を損傷する可能性がある。
【０００５】
別の費用がかからないマーキング方法は、識別用の画像でマーキングしたラベルを光記録媒体に貼り付けることである。しかしこの方法は、ラベルに記録できる情報量が、筆記用具のペン先サイズ、ユーザの筆跡、およびラベルのサイズによって制限されるため不利である。また、ラベルが完全に中央に位置付けされないと、光記録媒体の回転に影響を与え、それによって読み取りエラーが起きる可能性がある。当該技術分野において既知のラベルには、左右対称のドーナツ形ラベルおよび非対称ラベルがある。さらに、ラベルを取り外そうものなら、接着剤が、下部層を部分的に除去および損傷し、光記録媒体の回転またはその読み取りにさらなる問題を生じる可能性がある。
【０００６】
より費用のかかる光記録媒体のマーキング方法には、保護層に画像を印刷することがある。画像は、スクリーン印刷、インクジェット印刷、またはワックス転写（wax transfer）印刷によって印刷することができる。これらの印刷技法には高価なプリンタが必要であり、通常は、商業量の光記録媒体を同一情報でマーキングする必要がある場合にのみ経済的である。光記録媒体をマーキングする最も一般的な方法はスクリーン印刷である。スクリーン印刷は、保護層に施される紫外線（「ＵＶ」）硬化型のインクまたはコーティングを使用する。通常のＵＶ硬化型コーティングは、重合させることができる樹脂（アクリレート等）、顔料、および光開始剤を含む。ＵＶ硬化型コーティングはまた、コーティングの粘度特性、粘着特性、および光沢特性を変えるさらなる樹脂を含むこともできる。ＵＶ硬化型コーティングは当該技術分野において既知であり、Coates Bros. PLC（英国ケント）やCoates Inc.（米国）から市販されている。ＵＶ硬化型コーティングは、保護層に施され、この層に接着しなければならない。ＵＶ硬化型コーティングは、アクリレートの重合を開始させるＵＶ光源で露光すると硬化し、そのアクリレートにより光記録媒体上に硬く擦れないコーティングが形成される。ＵＶ硬化型コーティングには様々な色のものがあり、光記録媒体にマルチカラーのテキストやグラフィックスをマーキングすることができる。
【０００７】
光記録媒体をマーキングする方法は複数あるが、それらの方法のマークの永久性、必要とされる専用の機器、マーキングできる情報量には差がある。当該技術分野における欠点を考慮すると、専用の機器を必要とせず、より多量の情報をマーキングすることができる、光記録媒体を永久的にマーキングする方法が必要である。
【発明の開示】
【０００８】
本発明によれば、光記録媒体のマーキング方法が開示される。本方法は、光記録媒体の読み取り性または回転性に影響を与えたり、専用の機器を必要としたりすることなく、光記録媒体に対してより多量の情報による永久的なマーキングを行う。
【０００９】
一実施形態において、本方法は、光記録媒体の非データ面に硬化型材料を供給することを含む。レーザ等のエネルギー源を用いて光記録媒体上に永久的なマークを形成する。エネルギー源は、硬化型材料と相互作用し、硬化型材料を緻密化するか、代替的に、硬化型材料をアブレーションする（ablate：焼灼する）ことによって永久的なマークを形成する。
【００１０】
別の実施形態では、ＣＤリーダ／ライタの読み取りレーザを用いて光記録媒体を永久的にマーキングする方法を提供する。本方法は、光記録媒体の非データ面に硬化型材料を供給することを含む。ＣＤリーダ／ライタの読み取りレーザを用いて光記録媒体上に永久的なマークを形成する。読み取りレーザはＣＤリーダ／ライタの一体部品であるので、専用の機器を必要としないマーキング方法が提供される。
【００１１】
本特許または出願ファイルは、カラーで作成された（executed）図面を少なくとも１つ含む。本特許または特許出願の公開の、カラーの図面（複数可）を伴うコピーは、米国特許庁に請求し必要な手数料を支払うことで得られる。
【００１２】
本明細書は、本発明としてみなされるものを特に指摘し明確に特許請求する特許請求の範囲で完結するが、本発明は、以下の本発明の説明を添付図面とともに読むことでより容易に把握することができる。
【発明を実施するための最良の形態】
【００１３】
（発明の詳細な説明）
本発明は、光記録媒体をマーキングまたはタイトル付けする方法を対象とする。より具体的には、専用の機器を必要とせず、より多量の情報をマーキングすることができる、光記録媒体を永久的にマーキングまたはタイトル付けする方法が提供される。
【００１４】
本方法は、光記録媒体の非データ面に硬化型コーティングまたは材料を供給することを含む。本明細書中で用いる場合、「硬化型材料」という用語は、レーザ等のエネルギー源で露光するとさらに硬化させることができる硬化材料またはコーティングを意味する。エネルギー源は硬化型材料と相互作用して、光記録媒体上に永久的なマークを形成する。本発明の光記録媒体は、コンパクトディスク（「ＣＤ」）、追記型ＣＤ（「ＣＤ−Ｒ」）、書換え型ＣＤ（「ＣＤ−ＲＷ」）、デジタルビデオディスク（「ＤＶＤ」）、または当該技術分野において既知である任意の他の光記録媒体を含む。さらに、光記録媒体は、硬化型材料でコーティングされる基板または表面を含んでもよいことが理解される。例えば、基板は、硬化型材料でコーティングされる任意の形状の基板、例えばＣＤ形状のプラスチック基板を含んでもよい。
【００１５】
特定の実施形態において、硬化型材料は、エネルギー源で露光するとさらに硬化させることができる硬化コーティングを含むことができる。例えば、硬化型材料は、当該技術分野でよく知られたＵＶ硬化コーティングを含むことができる。ＵＶ硬化コーティングは、比較的多孔質であり、密度が低く、エネルギー源で露光すると硬化できるようになっている。ＵＶ硬化コーティングを含む光記録媒体は、様々な供給元（Ｉｍａｔｉｏｎ社（ミネソタ州オークデール）、ソニー株式会社（日本、東京）、およびＴＤＫ株式会社（日本、東京）等）から市販されている。本発明において、ＵＶ硬化コーティングは、エネルギー源が発した周波数のエネルギーを吸収しなければならない。
【００１６】
エネルギー源が発した周波数のエネルギーを吸収する硬化型材料である限り、他の硬化型材料を光記録媒体の非データ面に塗布してもよい。これらの硬化型材料は、サーモクロミックコーティングおよびインク受容コーティングを含む可能性があるが、これらに限定されない。サーモクロミックコーティングは、熱等のエネルギー源で露光されると色を変える。インク受容コーティングは、ユーザがマーカや他の筆記用具で光記録媒体上に直接書き込むことを可能にする。これらの硬化型材料は、ＵＶ硬化コーティングの上に塗布しても、ＵＶ硬化コーティングの代わりに塗布してもよい。硬化型材料は、当該技術分野で既知の増感剤または他のそのような成分を含めることによって光記録媒体の最上層をインク受容性または書込み可能にするために施される二次コーティングであることができる。この二次コーティングは、製造業者またはユーザによって施されることができる。
【００１７】
光記録媒体の非データ面は、硬化型材料で完全にまたは部分的にコーティングされてもよい。また、非データ面は、２つ以上の硬化型材料でコーティングされてもよい。例えば、非データ面の一部分にサーモクロミックコーティングを施し、非データ面の残りの部分にＵＶ硬化コーティングを施してもよい。
【００１８】
硬化型材料は、光記録媒体に直接塗布しても、光記録媒体に貼り付けられるかまたは接着されることができる感圧ラベルに塗布してもよい。例えば、着色（pigmented）プラスチゾルのコーティングを含むラベルが当該技術分野において既知であり、本発明によりマーキングされることができる。好ましくは、コーティングされたラベルは左右対称形であり、光記録媒体の回転に悪影響を与えないようになっている。しかし、ラベルは、光記録媒体が回転する能力に実質的に影響を与えないならば非対称であってもよい。これらのコーティングされたラベルは、光記録媒体に貼り付けてから、本発明によりマーキングすることができる。逆に、コーティングされたラベルを本発明によりマーキングしてから、光記録媒体に貼り付けてもよい。
【００１９】
本発明の一実施形態において、硬化型材料は、発熱エネルギー源を用いてマーキングされる。作用形態に関して任意の特定の理論に制約されることなく、エネルギー源からの熱は硬化型材料と相互作用し、光記録媒体上に永久的なマークを形成すると考えられる。硬化型材料がＵＶ硬化コーティングである場合、エネルギー源からの熱が、エネルギー源で露光された硬化型材料の各部分を緻密化するかまたは凝縮させると考えられる。硬化型材料を緻密化するとその光反射率が変化し、硬化型材料の露光部分と非露光部分の間に視覚的なコントラストが生じる。図１ないし図３に示すように、露光部分と非露光部分の間のコントラストは人間の目に見え、暗い背景に対する明るいマークまたは明るい背景に対する暗いマークとして見える。しかしさらに、露光部分と非露光部分の間のコントラストは、より暗いまたは明るい背景に対するカラーマークとして見えてもよいことが理解される。また、エネルギー源からの熱が硬化型材料を酸化し、その色または表面仕上げを変えてもよい。
【００２０】
硬化型材料が異なるタイプのコーティング（例えば着色プラスチゾル）である場合、エネルギー源からの熱は、硬化型材料をアブレーションまたは蒸発させることができる。これにより、硬化型材料のアブレーションされた部分を通してラベル用紙（label stock）が見えるようにすることができる。また、エネルギー源が硬化型材料を溶融し、硬化型材料の溶融部分を通してラベル用紙が見えるようにしてもよい。ラベル用紙の色および光記録媒体の最上層の色に応じて、結果として得られる永久的なマークは、暗い背景に対する明るいマークまたは明るい背景に対する暗いマークとして見えてもよい。
【００２１】
エネルギー源は、焦点を絞ったエネルギービームまたは熱ビームを含む。本発明において用いることのできるエネルギー源の１つはレーザである。硬化型材料に吸収される特定の周波数の波長である限り、任意の周波数または波長のレーザを用いることができる。レーザは、硬化型材料をマーキングするために、特定の領域に十分なエネルギーを供給しなければならない。しかし、レーザが小さすぎる領域に大きすぎるエネルギーを供給した場合、硬化型材料は粉末になる可能性がある。レーザが十分なエネルギーを供給しない場合、またはエネルギーを大きすぎる領域に供給した場合、硬化型材料のマークは見えない可能性がある。レーザは、本発明において用いることのできるエネルギー源の１つであるが、焦点を絞ることができ、硬化型材料を緻密化する、アブレーションする、または蒸発させるのに十分なエネルギーを供給するエネルギー源である限り、他のエネルギー源（イオンや電子ビーム等）も用いることができる。
【００２２】
本発明の方法は、個別の情報を硬化型材料に永久的にマーキングすることを可能にする。この情報は、ユーザによって選択または定義されてもよく、テキスト、グラフィックス、またはその組み合わせを含んでもよい。例示的なタイプの情報としては、曲目（song playlists）、所有者を示す識別マーク、著作権侵害用の特徴（piracy features）、および個人的なメッセージがあるが、これらに限定されない。レーザの使用により焦点を絞ったエネルギービームが供給されるため、硬化型材料の小部分をレーザ露光することによって硬化させることができる。これにより、以前に可能であったよりも小さなテキストまたはグラフィックスを光記録媒体にマーキングすることができる。したがって、以前に可能であったよりも多量の情報を光記録媒体にマーキングすることができる。また、人間の肉眼では見えない小さなマークを硬化型材料に生成することもできる。これらの小さなマークは、著作権侵害を防いだり所有者を確認したりするための安全コードとして機能することができる。しかし、大きなグラフィックス、色、および／または画像で硬化型材料をマーキングしてもよいことも考えられる。
【００２３】
別の実施形態において、光記録媒体の硬化型材料は、ＣＤリーダ／ライタの読み取りレーザを用いて永久的にマーキングされる。ＣＤリーダ／ライタは、当該技術分野において既知であり、通常、光記録媒体に対して情報の読み取りまたは書き込みを行うための７８０ｎｍの読み取りレーザを備える。特定の一実施形態では、光記録媒体を裏返し、その非データ表面を読み取りレーザで露光する。読み取りレーザは、ＣＤリーダ／ライタのデータ読み取り／書き込みソフトウェアによって完全に制御されることができるため、読み取りレーザは、硬化型材料と相互作用するようにプログラムされることができる。例えば、ソフトウェアは、マーキングすべきテキストまたはグラフィックスを含むフォーマットされたデータストリームによりプログラムされてもよい。ソフトウェアはまた、テキストまたはグラフィックスを正確に配置するために、読み取りレーザを光記録媒体上の適切な位置（複数可）に送る。次に、読み取りレーザを変調して、光記録媒体が回転している間に、硬化型材料に情報を書き込む。光記録媒体上の硬化型材料に情報を書き込むこのプロセスは、インクジェットプリンタにデータをストリーミングすることに似ている。ＣＤリーダ／ライタは７８０ｎｍの読み取りレーザを備えるため、光記録媒体をマーキングする本方法は、特別な機器を購入せずに実現することができる。
【００２４】
硬化型材料によって吸収されることのできる周波数のエネルギーを発するレーザである限り、他の光記録媒体のリーダまたはライタに見られるレーザを本発明において用いることができる。当業者には理解されるように、他の光記録媒体のこれらのリーダまたはライタのデータ読み出し／書き込みソフトウェアは、読み取りレーザが硬化型材料と相互作用するようにプログラムされることができる。
【００２５】
以下の説明的な例を使用して本発明をさらに説明する。
【実施例１】
【００２６】
（実施例Ｉ）
ＣＤのマーキング
ＣＤを裏返し、製造業者によってＣＤの非データ面に施されたＵＶ硬化コーティングをレーザ露光した。レーザは、周波数５３１ｎｍのダブルＹＡＧレーザであった。プログラム可能な電動ｘ−ｙステージにＣＤを載せ、ＣＤをレーザに対して移動させた。レーザは、ＵＶ硬化コーティングの一部分がレーザ露光されるように変調した（すなわち、オン・オフした）。ＵＶ硬化コーティングの露光部分が緻密化され、ＵＶ硬化コーティングの露光部分と非露光部分の光反射率に差を生じた。ＵＶ硬化コーティングのこれらの緻密化された部分を図１〜図３において、光記録媒体の非データ面のマーク「ｈｐｉｎｖｅｎｔ」として示す。図１は、ターコイズのＵＶ硬化コーティングを施した光記録媒体上のマークを示す。図２は、メタリックシルバーのＵＶ硬化コーティングでコーティングした光記録媒体上の同一マークを示す。図３は、マゼンタのＵＶ硬化コーティングでコーティングした光記録媒体上の同一マークを示す。
【００２７】
別個の実験では、５３１ｎｍのレーザの代わりに７８０ｎｍのレーザダイオードを用い、上記の手順に従って本発明によるマーキングしたＣＤを作成した。
【実施例２】
【００２８】
（実施例ＩＩ）
ＣＤ−Ｒのマーキング
実施例Ｉに記載したプロセスに従ってＣＤ−Ｒをマーキングする。ＣＤ−Ｒを裏返し、製造業者またはユーザによってＣＤ−Ｒの非データ面に塗布された硬化型材料をレーザ露光する。レーザの周波数は、硬化型材料がその周波数を吸収するように選択する。プログラム可能な電動ｘ−ｙステージにＣＤ−Ｒを載せ、ＣＤ−Ｒをレーザに対して移動させる。レーザは、硬化型材料の一部分がレーザ露光されるように変調する。硬化型材料の露光部分が緻密化され、硬化型材料の露光部分と非露光部分の光反射率に差を生じる。緻密化した部分の結果として、ＣＤ−Ｒ上に可視の永久的なマークが生成される。
【実施例３】
【００２９】
（実施例ＩＩＩ）
ＣＤ−ＲＷのマーキング
実施例Ｉに記載したプロセスに従ってＣＤ−ＲＷをマーキングする。ＣＤ−ＲＷを裏返し、製造業者またはユーザによってＣＤ−ＲＷの非データ面に塗布された硬化型材料をレーザ露光する。レーザの周波数は、硬化型材料がその周波数を吸収するように選択する。プログラム可能な電動ｘ−ｙステージにＣＤ−ＲＷを載せ、ＣＤ−ＲＷをレーザに対して移動させる。レーザは、硬化型材料の一部分がレーザ露光されるように変調する。硬化型材料の露光部分が緻密化され、硬化型材料の露光部分と非露光部分の光反射率に差を生じる。緻密化した部分の結果として、ＣＤ−ＲＷ上に可視の永久的なマークが生成される。
【実施例４】
【００３０】
（実施例ＩＶ）
ＤＶＤのマーキング
実施例Ｉに記載したプロセスに従ってＤＶＤをマーキングする。ＤＶＤを裏返し、製造業者またはユーザによってＤＶＤの非データ面に塗布された硬化型材料をレーザ露光する。レーザの周波数は、硬化型材料がその周波数を吸収するように選択する。プログラム可能な電動ｘ−ｙステージにＤＶＤを載せ、ＤＶＤをレーザに対して移動させる。レーザは、硬化型材料の一部分がレーザ露光されるように変調する。硬化型材料の露光部分が緻密化され、硬化型材料の露光部分と非露光部分の光反射率に差を生じる。緻密化した部分の結果として、ＤＶＤ上に可視の永久的なマークが生成される。
【実施例５】
【００３１】
（実施例Ｖ）
ＣＤに貼り付ける、コーティングされた感圧ラベルのマーキング
Ｂｒａｄｙ社（ウィスコンシン州ミルウォーキー）によって作成およびコーティングされた感圧ラベルを、硬化型材料が、感圧ラベルに施される着色プラスチゾルのコーティングを構成することを除き、実施例Ｉの記載と同様にマーキングした。コーティングされたラベルをＣＤの非データ面に接着させた。ＣＤを裏返し、コーティングされたラベルをレーザ露光した。レーザからの熱で着色プラスチゾルコーティングを露光部分からアブレーションまたは溶融した。下にあるラベル用紙が露光部分を通して見えるようになり、ＣＤ上に永久的なマークが生成された。
【実施例６】
【００３２】
（実施例ＶＩ）
ＣＤ−Ｒに貼り付ける、コーティングされた感圧ラベルのマーキング
実施例Ｖに記載したプロセスに従って感圧ラベルをマーキングする。コーティングされたラベルをＣＤ−Ｒの非データ面に接着させる。ＣＤ−Ｒを裏返し、コーティングされたラベルをレーザ露光する。レーザからの熱で着色プラスチゾルコーティングを露光部分からアブレーションまたは溶融する。下にあるラベル用紙が露光部分を通して見えるようになり、ＣＤ−Ｒ上に永久的なマークが生成される。
【実施例７】
【００３３】
（実施例ＶＩＩ）
ＣＤ−ＲＷに貼り付ける、コーティングされた感圧ラベルのマーキング
実施例Ｖに記載したプロセスに従って感圧ラベルをマーキングする。コーティングされたラベルをＣＤ−ＲＷの非データ面に接着させる。ＣＤ−ＲＷを裏返し、コーティングされたラベルをレーザ露光する。レーザからの熱で着色プラスチゾルコーティングを露光部分からアブレーションまたは溶融する。下にあるラベル用紙が露光部分を通して見えるようになり、ＣＤ−ＲＷ上に永久的なマークが生成される。
【実施例８】
【００３４】
（実施例ＶＩＩＩ）
ＤＶＤに貼り付ける、コーティングされた感圧ラベルのマーキング
実施例Ｖに記載したプロセスに従って感圧ラベルをマーキングする。コーティングされたラベルをＤＶＤの非データ面に接着させる。ＤＶＤを裏返し、コーティングされたラベルをレーザ露光する。レーザからの熱で着色プラスチゾルコーティングを露光部分からアブレーションまたは溶融する。下にあるラベル用紙が露光部分を通して見えるようになり、ＤＶＤ上に永久的なマークが生成される。
【実施例９】
【００３５】
（実施例ＩＸ）
ＣＤリーダ／ライタを用いたＣＤのマーキング
ＣＤリーダ／ライタの読み取りレーザを用いてＣＤをマーキングした。ＣＤは、ＵＶ硬化コーティングを含んでおり、ＣＤリーダ／ライタ内で裏返し、ＵＶ硬化コーティングを読み取りレーザで露光した。読み取りレーザを、焦点を定め直すようにプログラムし、ＣＤの回転を開始した。読み取りレーザは通常、ＣＤの記録層に記録された光情報を読み出すために、データ面の１．２ｍｍ下に焦点を合わせるように構成されるため、読み取りレーザは、ＣＤの非データ面をマーキングする深さを調節するように焦点を定め直さなければならない。次に読み取りレーザをＣＤの中心に送った。ＣＤ上にマーキングすべき情報とそれをマーキングすべき位置を含むフォーマットされたデータストリームをラスタ化し、回転するＣＤによって生成される螺旋状のパスに書き込みを行った。結果として得られたＣＤは、フォーマットされたデータストリームに含まれていた情報で永久的にマーキングされた。
【実施例１０】
【００３６】
（実施例Ｘ）
光記録媒体リーダ／ライタを用いたＣＤ−Ｒのマーキング
光記録媒体のリーダ／ライタの読み取りレーザを用いて、実施例ＩＸに記載したプロセスによりＣＤ−Ｒをマーキングする。ＣＤ−Ｒの非データ面に硬化型材料を供給した後、光記録媒体リーダ／ライタ内でＣＤ−Ｒを裏返して、硬化型材料を読み取りレーザで露光する。読み取りレーザを、焦点を定め直すようにプログラムし、ＣＤ−Ｒの回転を開始する。次に読み取りレーザをＣＤ−Ｒの中心に送る。ＣＤ−Ｒ上にマーキングすべき情報とそれをマーキングすべき位置を含むフォーマットされたデータストリームをラスタ化し、回転するＣＤ−Ｒによって生成される螺旋状のパスに書き込みを行う。結果として得られるＣＤ−Ｒは、フォーマットされたデータストリームに含まれていた情報で永久的にマーキングされる。
【実施例１１】
【００３７】
（実施例ＸＩ）
光記録媒体リーダ／ライタを用いたＣＤ−ＲＷのマーキング
光記録媒体のリーダ／ライタの読み取りレーザを用いて、実施例ＩＸに記載したプロセスによりＣＤ−ＲＷをマーキングする。ＣＤ−ＲＷの非データ面に硬化型材料を供給した後、光記録媒体リーダ／ライタ内でＣＤ−ＲＷを裏返して、硬化型材料を読み取りレーザで露光する。読み取りレーザを、焦点を定め直すようにプログラムし、ＣＤ−ＲＷの回転を開始する。次に読み取りレーザをＣＤ−ＲＷの中心に送る。ＣＤ−ＲＷ上にマーキングすべき情報とそれをマーキングすべき位置を含むフォーマットされたデータストリームをラスタ化し、回転するＣＤ−ＲＷによって生成される螺旋状のパスに書き込みを行う。結果として得られるＣＤ−ＲＷは、フォーマットされたデータストリームに含まれていた情報で永久的にマーキングされる。
【実施例１２】
【００３８】
（実施例ＸＩＩ）
光記録媒体リーダ／ライタを用いたＤＶＤのマーキング
光記録媒体のリーダ／ライタの読み取りレーザを用いて、実施例ＩＸに記載したプロセスによりＤＶＤをマーキングする。ＤＶＤの非データ面に硬化型材料を供給した後、光記録媒体リーダ／ライタ内でＤＶＤを裏返して、硬化型材料を読み取りレーザで露光する。読み取りレーザを、焦点を定め直すようにプログラムし、ＤＶＤの回転を開始する。次に読み取りレーザをＤＶＤの中心に送る。光記録媒体上にマーキングすべき情報とそれをマーキングすべき位置を含むフォーマットされたデータストリームをラスタ化し、回転するＤＶＤによって生成される螺旋状のパスに書き込みを行う。結果として得られるＤＶＤは、フォーマットされたデータストリームに含まれていた情報で永久的にマーキングされる。
【図面の簡単な説明】
【００３９】
【図１】本発明の方法によってマーキングされた光記録媒体を示す図である。
【図２】本発明の方法によってマーキングされた光記録媒体を示す図である。
【図３】本発明の方法によってマーキングされた光記録媒体を示す図である。
【図１】
2005528730.tif 000002
【図２】
2005528730.tif 000003
【図３】
2005528730.tif 000004
【国際調査報告】
2005528730.tif 000005
2005528730.tif 000006
2005528730.tif 000007